(57)【要約】  【課題】暗い場所であってもケーブルの接続作業を容易に行え、また、配線に不慣れな者であっても、ケーブルをどの端子に接続すればよいかが一目瞭然に分かるプロジェクタを提供する。  【解決手段】異なる種類の画像信号が入力される複数のチャンネルを構成する信号入力端子２１〜２５を有し、選択されたチャンネルの信号入力端子から入力される画像信号に基づいてスクリーン上に画像を投影するプロジェクタ１において、各信号入力端子２１〜２５の近傍に、ＬＥＤ３１〜３５およびプリズム４１〜４３からなる発光部を設ける。選択されたチャンネルの信号入力端子にケーブルが接続されていないときは、その端子の近傍に設けられた発光部を発光させて端子を照明し、ケーブルが接続されると発光部を消灯する。【選択図】  図２
2006301212.tif 000002
【特許請求の範囲】
【請求項１】
異なる種類の画像信号が入力される複数のチャンネルを構成する信号入力端子と、画像信号に応じたチャンネルを選択する選択手段とを有し、前記選択手段で選択されたチャンネルの信号入力端子から入力される画像信号に基づいてスクリーン上に画像を投影するプロジェクタにおいて、
前記複数の信号入力端子の近傍にそれぞれ設けられた発光部と、
前記選択手段により選択されたチャンネルの信号入力端子にケーブルが接続されているか否かを、当該信号入力端子に入力される画像信号の有無に基づいて判別し、画像信号が検出されずケーブルが接続されていないと判別したときは、当該信号入力端子の近傍に設けられた前記発光部を発光させ、その後画像信号が検出されてケーブルが接続されたと判別したときは、前記発光部を消灯するように制御する制御部とを備え、
前記発光部は、所定の信号入力端子を囲むように設けられた枠型のプリズムと、このプリズムへ光を照射する発光ダイオードとから構成されることを特徴とするプロジェクタ。
【請求項２】
異なる種類の画像信号が入力される複数のチャンネルを構成する信号入力端子を有し、選択されたチャンネルの信号入力端子から入力される画像信号に基づいてスクリーン上に画像を投影するプロジェクタにおいて、
前記複数の信号入力端子の近傍にそれぞれ設けられた発光部を備え、
選択されたチャンネルの信号入力端子にケーブルが接続されていないときは、当該信号入力端子の近傍に設けられた前記発光部を発光させ、その後ケーブルが接続されると、前記発光部を消灯するようにしたことを特徴とするプロジェクタ。
【請求項３】
請求項２に記載のプロジェクタにおいて、
前記発光部の全部または一部は、信号入力端子の近傍に設けられた光学部材と、この光学部材へ光を照射する発光素子とから構成されることを特徴とするプロジェクタ。
【請求項４】
請求項３に記載のプロジェクタにおいて、
前記光学部材および発光素子からなる発光部は、大型の信号入力端子の近傍に設けられ、小型の信号入力端子の近傍には、発光素子のみからなる発光部が設けられることを特徴とするプロジェクタ。
【発明の詳細な説明】
【技術分野】
【０００１】
本発明は、信号入力端子から入力される画像信号に基づいてスクリーン上に画像を投影するプロジェクタに関するものである。
【背景技術】
【０００２】
図１は、プロジェクタの一例を示す外観図である。図１において、１はプロジェクタ、２はプロジェクタ１の本体、３はこの本体２の前面に設けられた投射部、４は本体２の前面に設けられたリモコン受信部、５は本体２の側面に設けられた電源スイッチ、６は本体２の上面に設けられた操作部である。リモコン受信部４は、後述するリモコン２０（図３）からの信号を受信する。操作部６には、チャンネル選択ボタンを含む各種ボタンが設けられている。なお、リモコン２０にも、操作部６と同様のボタンが設けられている。
【０００３】
図８は、従来のプロジェクタの背面図を示している。図８において、２１および２２はＰＣ（パーソナルコンピュータ）からの画像信号が入力されるＰＣ入力端子であって、２１はデジタル信号用の入力端子、２２はアナログ信号用の入力端子である。２３は音声信号が入力される音声入力端子、２４はＳ−ＶＨＳビデオカセットレコーダやＳ−ビデオ出力端子を有するＤＶＤプレーヤ等から出力されるＳ−ビデオ信号が入力されるＳ−ビデオ入力端子、２５は通常のビデオ信号（コンポジット信号）が入力されるビデオ入力端子である。ビデオ入力端子２５は、黄・白・赤の３つの端子を備えている。これらの端子２１〜２５には、各端子に対応するコネクタやジャックを備えたケーブル（図示省略）が接続され、入力信号に基づいて生成された画像が、図１に示した投射部３からスクリーン上に投影される。
【０００４】
このように、異なる種類の画像信号が入力される複数の信号入力端子を備え、各端子から入力される信号に応じた画像を投影するプロジェクタは、例えば後掲の特許文献１に記載されている。本文献においては、スキャンコンバータとセレクタとを設けて、選択した信号入力系ごとに独立して端子を選択できるようにすることで、多数回の切替操作を行うことなく、入力の切替操作を簡単に行えるようにしている。
【０００５】
また、後掲の特許文献２には、端子の名称や用途を表示したプロジェクタが記載されている。本文献においては、インターフェース枠に上斜面および下斜面を設け、そこに端子の名称や用途を表示することにより、プロジェクタをどのような場所に設置しても、見降ろしたり見上げたりする視線の移動だけで、端子の名称や用途を容易に確認できるようにしている。
【０００６】
また、後掲の特許文献３には、投射用のランプの光を利用して操作キーを照明するプロジェクタが記載されている。本文献においては、ランプの光をライトガイドにより導光して操作キーを照明することによって、光源を別途用いることなく、暗い部屋内で使用した場合のキー操作性を向上できるようにしている。
【特許文献１】特開２００３−２７４３１６号公報
【特許文献２】特開平５−１８１１１２号公報
【特許文献３】登録実用新案第３０９１８１３号公報
【発明の開示】
【発明が解決しようとする課題】
【０００７】
プロジェクタを用いて画像の投影を行うには、所定の端子にケーブルを接続して信号を入力する必要があるが、一般に、プロジェクタは暗い場所で使用されることが多いので、プロジェクタのセッティングの際に端子部が見えにくい場合がある。このため、図８に示した従来のプロジェクタや、特許文献１に記載された従来のプロジェクタにおいては、うっかりして接続すべきケーブルが接続されていなかったような場合に、部屋を明るくしてから確認や作業を行う必要があり、迅速な対応が困難であった。また、明るい部屋で使用する場合でも、端子部が陰になっていると、目的とする端子の場所や方向が確認しづらいという問題が生じる。さらに、不慣れな者にとっては、配線をする場合にケーブルをどの端子に接続すればよいのか分からないことも少なくない。
【０００８】
一方、特許文献２のように、端子の名称や用途を表示するものでは、明るい場所ではそれらの表示を確認できても、暗い部屋の中では確認が容易ではない。さらに、端子の名称や用途の内容をよく知らない者にとっては、この表示だけでは、どの端子にケーブルを接続すればよいのか直ちには分からない。
【０００９】
また、特許文献３に記載されているキー照明の技術を流用し、投射用のランプの光をライトガイドで導光して端子部を照明するようにすれば、暗い部屋の中でも端子部を容易に視認することができる。しかしながら、この場合は、各端子部が一律に照明されるにすぎず、ケーブルをどの端子に接続すればよいのかをユーザに知らせることはできない。
【００１０】
本発明は、上記課題を解決するものであって、その目的とするところは、暗い場所であってもケーブルの接続作業を容易に行えるプロジェクタを提供することにある。本発明の他の目的は、配線に不慣れな者であっても、ケーブルをどの端子に接続すればよいかが一目瞭然に分かるプロジェクタを提供することにある。
【課題を解決するための手段】
【００１１】
本発明は、異なる種類の画像信号が入力される複数のチャンネルを構成する信号入力端子を有し、選択されたチャンネルの信号入力端子から入力される画像信号に基づいてスクリーン上に画像を投影するプロジェクタにおいて、複数の信号入力端子の近傍にそれぞれ設けられた発光部を備え、選択されたチャンネルの信号入力端子にケーブルが接続されていないときは、当該信号入力端子の近傍に設けられた発光部を発光させ、その後ケーブルが接続されると、発光部を消灯するようにしたものである。
【００１２】
本発明においては、ケーブルを接続すべき信号入力端子にケーブルが接続されていない場合は、その端子の近傍の発光部が発光するので、これによって、当該端子にケーブルを接続すべきことをユーザに報知することができる。そして、端子近傍が発光部の発光により照明されるので、暗い場所であっても、ユーザは目的とする端子にケーブルを容易に接続することができる。また、明るい場所において端子部が陰になっている場合でも、発光部の発光により、目的とする端子の場所や方向の確認を容易に行うことができる。さらに、発光している箇所の端子にケーブルを接続するだけでよいので、配線に不慣れな者であっても、ケーブルをどの端子に接続すべきかを一目瞭然に知ることができる。また、本発明では、ケーブルが接続されると発光部が消灯するため、ユーザはケーブルが正しく接続されたことを確認することができる。
【００１３】
本発明において、発光部の全部または一部は、信号入力端子の近傍に設けられた光学部材と、この光学部材へ光を照射する発光素子とから構成することができる。光学部材としては、例えばプリズムを用いることができる。プリズムは、例えば、端子を囲むように枠型に形成される。また、発光素子として典型的なものは、発光ダイオード（ＬＥＤ）である。このように、プリズム等の光学部材を用いることで、発光面積を大きくして端子を明るく照明することができる。
【００１４】
この場合、上述した光学部材および発光素子からなる発光部は、大型の信号入力端子の近傍に設け、小型の信号入力端子の近傍には、発光素子のみからなる発光部を設けてもよい。これによると、光学部材の数を減らして、コストが上昇するのを抑制することができる。
【発明の効果】
【００１５】
本発明によれば、暗い場所であってもケーブルの接続作業を容易に行えるとともに、配線に不慣れな者であっても、ケーブルをどの端子に接続すればよいかが一目瞭然に分かるプロジェクタを提供することができる。
【発明を実施するための最良の形態】
【００１６】
以下、本発明の実施形態につき、図面を参照しつつ説明する。図１は、本発明の実施形態に係るプロジェクタ１の外観図である。２はプロジェクタ１の本体、３はこの本体２の前面に設けられた投射部、４は本体２の前面に設けられたリモコン受信部、５は本体２の側面に設けられた電源スイッチ、６は本体２の上面に設けられチャンネル選択ボタンを含む操作部である。これらについては、すでに説明したとおりである。なお、操作部６は、本発明における選択手段を構成する。
【００１７】
図２は、第１実施形態によるプロジェクタ１の背面図を示している。２１および２２はＰＣ（パーソナルコンピュータ）からの画像信号が入力されるＰＣ入力端子であって、２１はデジタル信号用の入力端子、２２はアナログ信号用の入力端子である。２３は音声信号が入力される音声入力端子、２４はＳ−ＶＨＳビデオカセットレコーダやＳ−ビデオ出力端子を有するＤＶＤプレーヤ等から出力されるＳ−ビデオ信号が入力されるＳ−ビデオ入力端子、２５は通常のビデオ信号（コンポジット信号）が入力されるビデオ入力端子である。ビデオ入力端子２５は、黄・白・赤の３つの端子を備えている。これらの端子２１〜２５には、各端子に対応するコネクタやジャックを備えたケーブル（図示省略）が接続され、入力信号に基づいて生成された画像が、図１に示した投射部３からスクリーン上に投影される。以上の構成については、図８と同じである。
【００１８】
４１は、枠型に形成された光学部材としてのプリズムであって、ＰＣ入力端子２１を囲むように設けられている。３１は、プリズム４１に光を照射する発光素子としての発光ダイオード（以下、「ＬＥＤ」という。）である。ここでは、ＬＥＤ３１はＰＣ入力端子２１の上部に設けられているが、ＰＣ入力端子２１の側部や下部など、任意の位置に設けることができる。また、ここではＬＥＤ３１は１個しか図示されていないが、複数個のＬＥＤ３１を設けてもよい。
【００１９】
４２は、枠型に形成された光学部材としてのプリズムであって、ＰＣ入力端子２２を囲むように設けられている。３２は、プリズム４２に光を照射する発光素子としてのＬＥＤである。ここでも、ＬＥＤ３２はＰＣ入力端子２２の上部に設けられているが、ＰＣ入力端子２２の側部や下部など、任意の位置に設けることができる。また、ＬＥＤ３２は１個しか図示されていないが、複数個のＬＥＤ３２を設けてもよい。
【００２０】
４３は、枠型に形成された光学部材としてのプリズムであって、ビデオ入力端子２５を囲むように設けられている。３５は、プリズム４３に光を照射する発光素子としてのＬＥＤである。ここでも、ＬＥＤ３５はビデオ入力端子２５の上部に設けられているが、ビデオ入力端子２５の側部や下部など、任意の位置に設けることができる。また、ＬＥＤ３５は１個しか図示されていないが、複数個のＬＥＤ３５を設けてもよい。
【００２１】
３３は、音声入力端子２３の上部に設けられた発光素子としてのＬＥＤである。ここでは、ＬＥＤ３３は１個しか図示されていないが、複数個のＬＥＤ３３を設けてもよい。
【００２２】
３４は、Ｓ−ビデオ入力端子２４の上部に設けられた発光素子としてのＬＥＤである。ここでも、ＬＥＤ３４は１個しか図示されていないが、複数個のＬＥＤ３４を設けてもよい。
【００２３】
以上のＬＥＤ３１〜３５、およびプリズム４１〜４３によって、信号入力端子２１〜２５を照明する発光部が構成される。なお、ＬＥＤ３１、３２、３５は、本体２の内部に設けられており、ＬＥＤ３３、３４は、本体２から露出するように設けられている。
【００２４】
図３は、プロジェクタ１の構成を示したブロック図である。１０は白色光を発するランプ、１１はランプ１０からの白色光を赤色光、緑色光、青色光に分離するカラーホイール、１２はカラーホイール１１を回転させるモータ、１３はカラーホイール１１で分離された各色光を導く光学系、１４は光学系１３から照射される各色光に基づいて画像を形成する画像形成素子、１５は画像形成素子１４で形成された画像を投射する投影レンズ、１６は投影レンズ１５から投射された画像が表示されるスクリーンである。
【００２５】
カラーホイール１１は、赤、緑、青のカラーフィルタが円周方向に交互に配列された円板からなり、モータ１２により回転する。カラーホイール１１が回転すると、ランプ１０から発せられた白色光が、カラーホイール１１の回転位置に応じて赤、緑、青のカラーフィルタのいずれかを透過し、これによって白色光は、順次赤色光、緑色光、青色光に分離される。
【００２６】
画像形成素子１４は、例えばＤＭＤ（Digital Micromirror Device）から構成される。ＤＭＤは、半導体メモリ上に画素を構成するマイクロミラーを集積したもので、個々のマイクロミラーは、静電吸引力を受けて傾動可能となっており、傾動方向に応じてＯＮ／ＯＦＦの２値の状態をとる。マイクロミラーがＯＮ状態にあるときは、ミラーで反射された光は投影レンズ１５に取り込まれ、投影レンズ１５からスクリーン１６上に投射される。一方、マイクロミラーがＯＦＦ状態にあるときは、ミラーで反射された光は投影レンズ１５に取り込まれず、スクリーン１６上に投射されない。したがって、画像信号に基づいて各ミラーの状態をＯＮ／ＯＦＦに制御することで、カラーホイール１１で分離された各色光によるカラー画像が形成される。
【００２７】
１７はプロジェクタ１に入力される信号を処理する信号処理部であって、画像信号を所定のフォーマットに変換するなどの処理を行う。信号処理部１７で処理された画像信号は、画像形成素子１４へ与えられる。１８はプロジェクタ１の動作を制御する制御部であって、ＣＰＵやメモリ等から構成される。制御部１８には、図１で説明した操作部６やリモコン受信部４からの信号が入力される。リモコン受信部４は、リモコン２０から送信されるリモコン信号を受信する。リモコン２０には、操作部６と同じ機能を有する操作ボタン（図示省略）が設けられている。このリモコン２０も、本発明における選択手段を構成する。
【００２８】
１９は、図２で説明したＬＥＤ３１〜３５を駆動するためのＬＥＤ駆動回路であって、制御部１８からの指令に基づき、いずれかのＬＥＤに電流を供給して、当該ＬＥＤを発光させる。２１〜２５は、図２で説明した信号入力端子であって、異なる種類の画像信号が入力される複数のチャンネルを構成する。図示しないケーブルを介して各信号入力端子２１〜２５に入力された信号は、信号処理部１７へ与えられる。信号入力端子２１〜２５に対応してＬＥＤ３１〜３５が設けられていることは、前述したとおりである。
【００２９】
なお、プロジェクタ１には上記以外にも、音声を出力するスピーカや、各部へ電源を供給する電源回路などが備わっているが、本発明とは直接関係がないので、図示は省略してある。
【００３０】
図４は、上述したプロジェクタ１の動作手順を示したフローチャートである。最初に、電源スイッチ５（図１）をＯＮにして、電源を投入する（ステップＳ１）。そして、操作部６またはリモコン２０のチャンネル選択ボタンにより、入力する信号に応じたチャンネルを選択する（ステップＳ２）。例えば、ＰＣからのデジタル画像信号を入力する場合は、チャンネルとしてＰＣ入力端子２１が選択され、ＤＶＤプレーヤからのＳ−ビデオ信号を入力する場合は、チャンネルとしてＳ−ビデオ入力端子２４が選択される。
【００３１】
次に、選択されたチャンネルの端子にケーブルが接続されているか否かを判定する（ステップＳ３）。端子にケーブルが接続されていて信号の入力がある場合は、信号処理部１７はこの信号を認識するので、そのことが制御部１８へ通知され、制御部１８はケーブルが接続されていると判定する。一方、端子にケーブルが接続されておらず信号の入力がない場合は、信号処理部１７はこの信号を認識しないので、そのことが制御部１８へ通知され、制御部１８はケーブルが接続されていないと判定する。
【００３２】
ステップＳ３での判定の結果、ケーブルが接続されている場合は（ステップＳ３：ＹＥＳ）、ステップＳ４〜Ｓ６を実行することなく、ステップＳ７へ移行し、ケーブルから入力される信号に基づいて、画像形成素子１４で形成された画像をスクリーン１６に投影する。
【００３３】
ステップＳ３での判定の結果、ケーブルが接続されていない場合は（ステップＳ３：ＮＯ）、ケーブルが接続されるべき端子に対応するＬＥＤを発光させ、当該端子をＬＥＤの光で照明する（ステップＳ４）。制御部１８は、操作部６またはリモコン受信部４からの信号により、どの端子が選択されたかを把握しているので、選択された端子からの信号が信号処理部１７において認識されない場合は、その端子に対応するＬＥＤを発光させるよう、ＬＥＤ駆動回路１９に対して指令を与える。
【００３４】
例えば、チャンネルとしてＰＣ入力端子２１が選択されたにもかかわらず、端子２１にケーブルが接続されていなければ、ＬＥＤ駆動回路１９は、ＰＣ入力端子２１に対応するＬＥＤ３１に電流を供給し、ＬＥＤ３１を発光させる。ＬＥＤ３１が発光すると、その光は枠型のプリズム４１（図２）に入射し、プリズム４１が発光する。これによって、ユーザは、ＰＣ入力端子２１にケーブルが接続されていないことを知ることができ、ケーブルの接続作業を行う。この場合、プリズム４１の発光によりＰＣ入力端子２１の周囲が照明されるので、暗い場所であっても、接続作業を容易に行うことができる。なお、このときのＬＥＤ３１の発光輝度としては、プリズム４１の照明によって端子の向きを視認できる程度の輝度を確保することが好ましい。他のＬＥＤについても同じである。
【００３５】
また、同様に、チャンネルとしてＰＣ入力端子２２が選択されたにもかかわらず、端子２２にケーブルが接続されていない場合は、ＬＥＤ３２が発光してその光によりプリズム４２が発光し、ＰＣ入力端子２２の周囲が照明される。また、同様に、ビデオ入力端子２５が選択されたにもかかわらず、端子２５にケーブルが接続されていない場合は、ＬＥＤ３５が発光してその光によりプリズム４３が発光し、ビデオ入力端子２５の周囲が照明される。
【００３６】
一方、例えば、チャンネルとしてＳ−ビデオ入力端子２４が選択されたにもかかわらず、端子２４にケーブルが接続されていなければ、ＬＥＤ駆動回路１９は、Ｓ−ビデオ入力端子２４に対応するＬＥＤ３４に電流を供給し、ＬＥＤ３４を発光させる。この発光により、ユーザは、Ｓ−ビデオ入力端子２４にケーブルが接続されていないことを知ることができ、ケーブルの接続作業を行う。この場合、前述したようなプリズムは設けられていないが、Ｓ−ビデオ入力端子２４は形状が小さいので、ＬＥＤ３４の発光のみで端子周辺を十分に照明することができる。したがって、暗い場所であっても、接続作業を容易に行うことができる。
【００３７】
また、同様に、チャンネルとして音声入力端子２３が選択されたにもかかわらず、端子２３にケーブルが接続されていない場合は、ＬＥＤ３３が発光して、ケーブルが接続されていないことをユーザに知らせる。この場合も、プリズムは設けられていないが、音声入力端子２３は形状が小さいので、ＬＥＤ３３の発光のみで端子周辺を十分に照明することができ、暗い場所であっても、接続作業を容易に行うことができる。
【００３８】
上記のようにしてＬＥＤ３１〜３５による照明を行った後、制御部１８は、ケーブルが接続されたか否かを監視する（ステップＳ５）。選択されたチャンネルの端子にケーブルが接続されない場合は（ステップＳ５：ＮＯ）、ステップＳ４へ戻って、ケーブルが接続されるまでＬＥＤの発光を継続する。選択されたチャンネルの端子にケーブルが接続されて信号が入力されると、この信号が信号処理部１７で認識されるので、ケーブルが接続されたと判断し（ステップＳ５：ＹＥＳ）、ＬＥＤ駆動回路１９へ指令を与えて、発光しているＬＥＤへの電流供給を停止させる。この結果、ＬＥＤは消灯する（ステップＳ６）。ＬＥＤが消灯したことで、ユーザは、ケーブルが正しく接続されたことを知ることができる。その後は、ステップＳ７へ移行し、ケーブルから入力される信号に基づいて、画像形成素子１４で形成された画像をスクリーン１６に投影する。
【００３９】
このようにして、上記実施形態においては、信号入力端子２１〜２５のうちのケーブルを接続すべき端子（すなわち選択したチャンネルの端子）にケーブルが接続されていない場合は、端子の近傍のＬＥＤ３１〜３５が発光するので、この発光によって、当該端子にケーブルを接続すべきことをユーザに報知することができる。そして、端子の近傍がＬＥＤやプリズムなどの発光部で照明されるので、暗い場所であっても、ユーザは目的とする端子にケーブルを容易に接続することができる。また、明るい場所において端子部が陰になっている場合でも、発光部の発光により、目的とする端子の場所や方向の確認を容易に行うことができる。さらに、発光している箇所の端子にケーブルを接続するだけでよいので、配線に不慣れな者であっても、ケーブルをどの端子に接続すべきかを一目瞭然に知ることができる。また、ケーブルが接続されるとＬＥＤが消灯するため、ユーザはケーブルが正しく接続されたことを確認することができる。
【００４０】
さらに、上記実施形態においては、枠型のプリズム４１〜４３を用いて端子を照明しているので、発光面積を大きくして端子を明るく照明することができる。また、プリズム４１〜４３は、信号入力端子のうちで形状の大きいＰＣ入力端子２１、２２と、ビデオ入力端子２５の周囲にのみ設けており、形状の小さい音声入力端子２３およびＳ−ビデオ入力端子２４に対しては、ＬＥＤ３３、３４のみを設けてある。このため、各端子の照明に必要な明るさを確保しつつ、プリズムの数を減らして、コストが上昇するのを抑制することができる。
【００４１】
図５は、本発明の第２実施形態によるプロジェクタ１の背面図を示している。図２の場合は、プリズム４１〜４３として枠型のプリズムを用いたが、図５では分割型のプリズムを用いている。ＰＣ入力端子２１の上下には、一対のプリズム４１ａ，４１ｂが設けられており、各プリズムに対してＬＥＤ３１が設けられている。また、ＰＣ入力端子２２の上下にも、一対のプリズム４２ａ，４２ｂが設けられており、各プリズムに対してＬＥＤ３２が設けられている。さらに、ビデオ入力端子２５の左右にも、一対のプリズム４３ａ，４３ｂが設けられており、各プリズムに対してＬＥＤ３５が設けられている。その他については図２と同じであるので、図２と同一部分には同一符号を付してある。この第２実施形態によると、前記第１実施形態と同様の効果を得ることができるほか、プリズムの形状が単純となって製造が容易となるので、コストを低減することができる。
【００４２】
図６は、本発明の第３実施形態によるプロジェクタ１の背面図を示している。図５の場合は分割型の一対のプリズムを用いたが、図６では単一のプリズムを用いている。ＰＣ入力端子２１の上部には、単一のプリズム４１が設けられており、このプリズム４１に対してＬＥＤ３１が設けられている。また、ＰＣ入力端子２２の上部にも、単一のプリズム４２が設けられており、このプリズム４２に対してＬＥＤ３２が設けられている。さらに、ビデオ入力端子２５の右側にも、単一のプリズム４３が設けられており、このプリズム４３に対してＬＥＤ３５が設けられている。その他については図２と同じであるので、図２と同一部分には同一符号を付してある。この第３実施形態によると、前記第１実施形態と同様の効果を得ることができるほか、プリズムの形状が単純となって製造が容易となり、またプリズムの数が最小で済むので、コストを低減することができる。
【００４３】
図７は、本発明の第４実施形態によるプロジェクタ１の背面図を示している。図２、図５、図６の場合は発光部の一部にプリズムを用いたが、図７ではプリズムを用いずに、ＬＥＤのみで発光部を構成している。ＰＣ入力端子２１の上部には、３個のＬＥＤ３１が設けられている。また、ＰＣ入力端子２２の上部には、２個のＬＥＤ３２が設けられている。さらに、ビデオ入力端子２５の右側には、２個のＬＥＤ３５が設けられている。これらのＬＥＤ３１、３２、３５は、ＬＥＤ３３、３４と同様に、本体２から露出するように設けられる。なお、ここで示したＬＥＤの個数は一例であり、ＬＥＤは任意の数だけ設けることができる。また、ＬＥＤを設ける場所も図７に限らず、端子の近傍であれば任意の場所に設けることができる。例えば、端子２１、２２の下部や、端子２５の左側に設けてもよい。また、端子２１、２２、２５をとり囲むようにＬＥＤを配列してもよい。その他については図２と同じであるので、図２と同一部分には同一符号を付してある。この第４実施形態によると、前記第１実施形態と同様の効果を得ることができるほか、プリズムを用いないためコストを更に低減することができる。
【００４４】
本発明は、以上述べた実施形態以外にも、種々の実施形態を採用することができる。例えば、上記実施形態では、発光素子としてＬＥＤを例に挙げたが、ＥＬランプや豆電球などを発光素子として用いてもよい。また、上記実施形態では、光学部材としてプリズムを用いたが、光拡散板のような光学部材を用いることもできる。
【００４５】
また、上記実施形態では、一部の信号入力端子２１、２２、２５に対してのみプリズム４１〜４３を設けた例を挙げたが、全ての信号入力端子２１〜２５に対してプリズムを設けてもよい。
【００４６】
また、上記実施形態では、選択されたチャンネルの端子にケーブルが接続されているか否かを、端子からの入力信号の有無で判別しているが、これに代えて、ケーブルの接続を検知するためのセンサを設け、このセンサの検知出力に基づいて、ケーブルが接続されているか否かを判別するようにしてもよい。
【００４７】
また、暗い場所での配線作業の便宜を考慮して、すべてのＬＥＤを一斉に点灯させるような機能をプロジェクタ１に付加してもよい。この場合は、操作部６またはリモコン２０に一斉点灯用のボタンを設け、このボタンが押されると、ケーブルの接続の有無にかかわらず、すべてのＬＥＤ３１〜３５を発光させるようにすればよい。
【図面の簡単な説明】
【００４８】
【図１】本発明の実施形態に係るプロジェクタの外観図である。
【図２】第１実施形態によるプロジェクタの背面図である。
【図３】プロジェクタの構成を示したブロック図である。
【図４】プロジェクタの動作手順を示したフローチャートである。
【図５】第２実施形態によるプロジェクタの背面図である。
【図６】第３実施形態によるプロジェクタの背面図である。
【図７】第４実施形態によるプロジェクタの背面図である。
【図８】従来のプロジェクタの背面図である。
【符号の説明】
【００４９】
１    プロジェクタ
６    操作部
１４  画像形成素子
１６  スクリーン
１７  信号処理部
１８  制御部
１９  ＬＥＤ駆動回路
２０  リモコン
２１〜２５  信号入力端子
３１〜３５  ＬＥＤ
４１〜４３  プリズム
【図１】
2006301212.tif 000003
【図２】
2006301212.tif 000004
【図３】
2006301212.tif 000005
【図４】
2006301212.tif 000006
【図５】
2006301212.tif 000007
【図６】
2006301212.tif 000008
【図７】
2006301212.tif 000009
【図８】
2006301212.tif 000010